(57)【特許請求の範囲】
【請求項１】
端末と、該端末をネットワークに接続する管理装置とを含む端末管理システムであって、
前記管理装置は、
前記端末の通信量を第１の間隔毎に計算する管理装置側計算手段と、
前記管理装置側計算手段により計算された前記端末の通信量を記憶する管理装置側記憶手段と、
前記管理装置側記憶手段に記憶された前記端末の通信量を前記端末に送信する管理装置側通信手段と
を備え、
前記端末は、
前記管理装置側通信手段により送信された前記端末の通信量を受信する端末側通信手段と、
前記端末の通信量を表示する表示手段と、
前記端末側通信手段により受信した前記端末の通信量を管理通信量として記憶する端末側記憶手段と、
を備え、
前記表示手段は、前記端末側記憶手段に前記管理通信量が記憶されたタイミングから前記表示手段に表示される通信量を更新するタイミングまでの時間が前記第１の間隔以下の場合、前記管理通信量が記憶されたタイミングから前記表示手段に表示される通信量を更新するタイミングまでの前記端末において計測している通信量である端末通信量の累積値を、前記端末側記憶手段に記憶された前記管理通信量に加算した推定通信量を用いて前記端末の通信量を表示することを特徴とする端末管理システム。
【請求項２】
前記端末は、
前記端末側記憶手段に前記管理通信量が記憶されたタイミングから、前記表示手段に表示される前記端末の通信量を更新するタイミングまでの時間が前記第１の間隔以下の第２の間隔を過ぎているか否かを判定する判定手段と、
前記判定手段により前記時間が前記第２の間隔を過ぎていないと判定された場合、前記管理通信量が記憶されたタイミングから当該判定時点までの前記端末において計測している通信量である端末通信量の累積値を、前記端末側記憶手段に記憶された前記管理通信量に加算した推定通信量を計算する端末側計算手段と、
を備え、
前記表示手段は、前記端末側計算手段により計算された前記推定通信量を用いて前記端末の通信量を更新して表示することを特徴とする請求項１記載の端末管理システム。
【請求項３】
前記端末側記憶手段は、前記管理通信量が記憶されたタイミングにおける前記端末において計測している通信量を基準端末通信量として記憶し、
前記端末側計算手段は、前記判定手段により前記時間が前記第２の間隔を過ぎていないと判定された場合、当該判定時点における前記端末において計測している通信量である端末通信量と前記端末側記憶手段に記憶された前記基準端末通信量との差分を求め、前記差分を前記端末側記憶手段に記憶された前記管理通信量に加算して前記推定通信量を計算する
ことを特徴とする請求項２記載の端末管理システム。
【請求項４】
前記判定手段により前記時間が前記第２の間隔を過ぎていると判定された場合、前記端末側通信手段は、前記管理装置へ前記端末の通信量の取得要求を送信し、
前記管理装置側通信手段は、前記取得要求を受信すると、前記管理装置側記憶手段に記憶された前記端末の通信量を前記端末へ送信し、
前記端末側通信手段は、前記管理装置側通信手段から前記端末の通信量を受信し、
前記端末側記憶手段は、前記端末側通信手段により受信した前記端末の通信量を更新後の管理通信量として記憶し、
前記表示手段は、前記端末側通信手段により受信した前記端末の管理通信量を表示することを特徴とする請求項２又は３記載の端末管理システム。
【請求項５】
前記判定手段により、前記管理通信量が記憶されたタイミングから第２の間隔より短い時間間隔である第３の間隔を過ぎていないと判定された場合、前記表示手段は、前記端末側記憶手段に記憶された管理通信量を表示する
ことを特徴とする請求項２から４の何れか１項に記載の端末管理システム。
【請求項６】
端末と、該端末をネットワークに接続する管理装置とを含む端末管理システムであって、
前記管理装置は、
前記端末の通信量を第１の間隔毎に計算する管理装置側計算手段と、
前記管理装置側計算手段により計算された前記端末の通信量を記憶する管理装置側記憶手段と、
前記管理装置側記憶手段に記憶された前記端末の通信量を前記端末に送信する管理装置側通信手段と
を備え、
前記端末は、
前記管理装置側通信手段により送信された前記端末の通信量を受信する端末側通信手段と、
前記端末の通信量を表示する表示手段と、
前記管理装置側計算手段により前記端末の通信量が計算される前記第１の間隔を記憶し、該記憶した前記第１の間隔の起点である前記端末の通信量の計算タイミングに合わせて、該計算タイミングにおける前記端末において計測された通信量を基準端末通信量として記憶する端末側記憶手段と、
前記端末側記憶手段に前記基準端末通信量が記憶されたタイミングから、前記表示手段に表される前記端末の通信量を更新するタイミングまたは通信量の取得要求を送信したタイミングまでの時間が、前記基準端末通信量が記憶されたタイミングから前記第１の間隔より短い所定時間を経た第４の間隔を過ぎているか否かを判定する判定手段と、
推定通信量を計算する端末側計算手段と、
を備え、
前記端末側通信手段は、前記端末の通信量の取得要求を送信し、該取得要求に応じて前記管理装置側通信手段により送信された前記端末の通信量を受信し、
前記端末側記憶手段は、前記端末側通信手段により受信した前記端末の通信量を管理通信量として記憶し、
前記端末側計算手段は、前記判定手段により、前記時間が前記第４の間隔を過ぎていると判定された場合、その判定時点における前記端末において計測している通信量である端末通信量と前記端末側記憶手段に記憶された前記基準端末通信量との差分を、前記端末側記憶手段に記憶された前記管理通信量に加算して前記推定通信量を計算し、
前記表示手段は、前記端末側計算手段により計算された前記推定通信量を表示し、
前記表示手段は、前記判定手段により前記時間が前記第４の間隔を過ぎていないと判定された場合、前記端末側記憶手段に記憶された前記管理通信量を表示する
ことを特徴とする端末管理システム。
【請求項７】
端末と、該端末をネットワークに接続する管理装置とを含む端末管理システムであって、
前記管理装置は、
前記端末の通信量を第１の間隔毎に計算する管理装置側計算手段と、
前記管理装置側計算手段により計算された前記端末の通信量を記憶する管理装置側記憶手段と、
前記管理装置側記憶手段に記憶された前記端末の通信量を前記端末に送信する管理装置側通信手段と、
前記管理装置側計算手段により前記端末の通信量が計算される前記第１の間隔の起点である計算タイミングから、前記管理装置側通信手段が前記端末からの該端末の通信量の取得要求を受信する受信タイミングまでの間隔が前記計算タイミングから前記第１の間隔より短い所定時間を経た第５の間隔を過ぎているか否かを判定する管理装置側判定手段と、
を備え、
前記端末は、
前記管理装置側通信手段により送信された前記端末の通信量を受信する端末側通信手段と、
前記端末の通信量を表示する表示手段と、
前記計算タイミングから、前記表示手段に表示される前記端末の通信量を更新するタイミングまでの前記端末において計測している通信量である端末通信量を計算する端末側計算手段と、を備え、
前記管理装置側計算手段は、前記管理装置側判定手段により前記計算タイミングから前記受信タイミングまでの時間が前記第５の間隔を過ぎていると判定された場合、前記管理装置側通信手段により取得要求とともに受信した、前記端末通信量を、前記管理装置側記憶手段に記憶した前記端末の通信量に加算し、
前記管理装置側通信手段は、前記管理装置側計算手段により加算された加算後の前記端末の通信量を前記端末に送信し、
前記端末側通信手段は、前記加算後の前記端末の通信量を受信し、
前記表示手段は、前記端末側通信手段により受信した前記加算後の通信量を表示し、
前記管理装置側通信手段は、前記時間が前記第５の間隔を過ぎていないと判定された場合、前記管理装置側記憶手段に記憶された前記端末の通信量を前記端末に送信し、
前記端末側通信手段は、前記端末の通信量を受信し、
前記表示手段は、前記端末側通信手段により受信した前記端末の通信量を表示する
ことを特徴とする端末管理システム。
【請求項８】
端末と、該端末をネットワークに接続する管理装置とを含む端末管理システムであって、
前記管理装置は、
前記端末の通信量を第１の間隔毎に計算する管理装置側計算手段と、
前記管理装置側計算手段により計算された前記端末の通信量を記憶する管理装置側記憶手段と、
前記管理装置側記憶手段に記憶された前記端末の通信量を前記端末に送信する管理装置側通信手段と
を備え、
前記端末は、
前記管理装置側通信手段により送信された前記端末の通信量を受信する端末側通信手段と、
前記端末の通信量を表示する表示手段と、
前記端末側通信手段により受信した前記端末の通信量を管理通信量として記憶する端末側記憶手段と、
前記表示手段に表示される通信量を更新する画面更新タイミングにて、前記第１の間隔の起点である前記端末の通信量の計算タイミングに対応させて定期的に、前記管理装置側計算手段により計算される前記端末の通信量を取得する定期取得要求を送信する送信タイミングから、前記画面更新タイミングまでの時間が、前記定期取得要求の送信タイミングから前記第１の間隔より短い所定時間を経た第６の間隔を過ぎているか否かを判定する判定手段と、
推定通信量を計算する端末側計算手段と、
を備え、
前記端末側通信手段は、前記定期取得要求を送信し、
前記管理装置側通信手段は、前記定期取得要求を受信すると、前記管理装置側記憶手段に記憶された前記端末の通信量を前記定期取得要求を送信した前記端末に送信し、
前記端末側通信手段は、前記端末の通信量を受信し、
前記端末側記憶手段は、前記端末側通信手段により受信した前記端末の通信量を管理通信量として記憶し、
前記端末側記憶手段は、前記送信タイミングにおける前記端末において計測された通信量を基準端末通信量として記憶し、
前記端末側計算手段は、前記判定手段により、前記時間が前記第６の間隔を過ぎていると判定された場合、当該判定時点における前記端末において計測している通信量である端末通信量と前記端末側記憶手段に記憶された前記基準端末通信量との差分を、前記管理通信量に加算して前記推定通信量を計算し、
前記表示手段は、前記推定通信量を表示し、
前記表示手段は、前記判定手段により、前記時間が前記第６の間隔を過ぎていないと判定された場合、前記端末側記憶手段に記憶された管理通信量を表示する
ことを特徴とする端末管理システム。
【請求項９】
端末と、該端末をネットワークに接続する管理装置とを含む端末管理システムであって、
前記管理装置は、
前記端末の通信量を第１の間隔毎に計算する管理装置側計算手段と、
前記管理装置側計算手段により計算された前記端末の通信量を記憶する管理装置側記憶手段と、
前記管理装置側記憶手段に記憶された前記端末の通信量を前記端末に送信する管理装置側通信手段と
を備え、
前記端末は、
前記管理装置側通信手段により送信された前記端末の通信量を受信する端末側通信手段と、
前記端末の通信量を表示する表示手段と、
前記端末側通信手段により受信した前記端末の通信量を管理通信量として記憶する端末側記憶手段と、
前記表示手段に表示される通信量を更新する画面更新タイミングにて、前記管理装置から前記端末の通信量を受信する受信タイミングから、前記画面更新タイミングまでの時間が、前記受信タイミングから前記第１の間隔より短い所定時間を経た第７の間隔を過ぎているか否かを判定する判定手段と、
推定通信量を計算する端末側計算手段と、
を備え、
前記管理装置側通信手段は、前記管理装置側計算手段により前記端末の通信量が計算されると、該通信量を前記端末に送信し、
前記端末側通信手段は、前記管理装置側通信手段により送信された前記端末の通信量を受信し、
前記端末側記憶手段は、前記端末側通信手段により受信した前記端末の通信量を管理通信量として記憶し、
前記端末側記憶手段は、前記受信タイミングにおける前記端末において計測された通信量を基準端末通信量として記憶し、
前記端末側計算手段は、前記判定手段により、前記時間が前記第７の間隔を過ぎていると判定された場合、当該判定時点における前記端末において計測している通信量である端末通信量と前記端末側記憶手段に記憶された前記基準端末通信量との差分を前記管理通信量に加算して前記推定通信量を計算し、
前記表示手段は、前記推定通信量を表示し、
前記表示手段は、前記判定手段により、前記時間が前記第７の間隔を過ぎていないと判定された場合、前記端末側記憶手段に記憶された管理通信量を表示する
ことを特徴とする端末管理システム。
【請求項１０】
端末と、該端末をネットワークに接続する管理装置とを含むシステムによる端末管理方法であって、
前記管理装置は、
前記端末の通信量を第１の間隔毎に計算するステップと、
計算された前記端末の通信量を前記管理装置の記憶部に記憶するステップと、
前記記憶部に記憶された前記端末の通信量を前記端末に送信するステップと
を有し、
前記端末は、
前記管理装置から送信された前記端末の通信量を受信するステップと、
受信した前記端末の通信量を管理通信量として前記端末の記憶部に記憶するステップと、
前記端末の記憶部に前記管理通信量が記憶されたタイミングから表示部に表示される通信量を更新するタイミングまでの時間が前記第１の間隔以下の場合、前記管理通信量が前記端末の記憶部に記憶されたタイミングから前記表示部に表示される通信量を更新するタイミングまでの前記端末において計測している通信量である端末通信量の累積値を、前記端末の記憶部に記憶された前記管理通信量に加算した推定通信量を用いて前記端末の通信量を前記表示部に表示するステップと
を有することを特徴とする端末管理方法。
【請求項１１】
端末と、該端末をネットワークに接続する管理装置とを含む端末管理システムによる端末管理方法であって、
前記管理装置は、
前記端末の通信量を第１の間隔毎に計算する管理装置側計算ステップと、
前記計算された前記端末の通信量を記憶する管理装置側記憶ステップと、
前記記憶された前記端末の通信量を前記端末に送信する管理装置側通信ステップと
を有し、
前記端末は、
前記端末の通信量の取得要求を送信し、該取得要求に応じて前記送信された前記端末の通信量を受信する端末側通信ステップと、
前記端末の通信量を表示する表示ステップと、
前記端末の通信量が計算される前記第１の間隔を記憶し、該記憶した前記第１の間隔の起点である前記端末の通信量の計算タイミングに合わせて、該計算タイミングにおける前記端末において計測された通信量を基準端末通信量として記憶する端末側記憶ステップと、
前記基準端末通信量が記憶されたタイミングから、前記表示される前記端末の通信量を更新するタイミングまたは通信量の取得要求を送信したタイミングまでの時間が、前記基準端末通信量が記憶されたタイミングから前記第１の間隔より短い所定時間を経た第４の間隔を過ぎているか否かを判定する判定ステップと、
推定通信量を計算する端末側計算ステップと、
を有し、
更に、前記端末は、前記受信された前記端末の通信量を管理通信量として記憶する管理通信量記憶ステップを有し、
前記時間が前記第４の間隔を過ぎていると判定された場合、
前記端末側計算ステップは、その判定時点における前記端末において計測している通信量である端末通信量と前記記憶された前記基準端末通信量との差分を、前記管理通信量に加算して前記推定通信量を計算し、
前記表示ステップは、前記計算された前記推定通信量を表示し、
前記時間が前記第４の間隔を過ぎていないと判定された場合、
前記表示ステップは、前記記憶された前記管理通信量を表示する
ことを特徴とする端末管理方法。
【請求項１２】
端末と、該端末をネットワークに接続する管理装置とを含む端末管理システムによる端末管理方法であって、
前記管理装置は、
前記端末の通信量を第１の間隔毎に計算する管理装置側計算ステップと、
前記計算された前記端末の通信量を記憶する管理装置側記憶ステップと、
前記記憶された前記端末の通信量を前記端末に送信する管理装置側通信ステップと、
前記端末の通信量が計算される前記第１の間隔の起点である計算タイミングから、前記端末からの該端末の通信量の取得要求を受信する受信タイミングまでの間隔が前記計算タイミングから前記第１の間隔より短い所定時間を経た第５の間隔を過ぎているか否かを判定する管理装置側判定ステップと、
を有し、
前記端末は、
前記送信された前記端末の通信量を受信する端末側通信ステップと、
前記端末の通信量を表示する表示ステップと、
前記計算タイミングから、前記表示される前記端末の通信量を更新するタイミングまでの前記端末において計測している通信量である端末通信量を計算する端末側計算ステップと、を有し、
前記計算タイミングから前記受信タイミングまでの時間が前記第５の間隔を過ぎていると判定された場合、
更に、前記管理装置は、前記取得要求とともに受信した、前記端末通信量を、前記記憶した前記端末の通信量に加算する加算ステップを有し、
前記管理装置側通信ステップは、前記加算された加算後の前記端末の通信量を前記端末に送信し、
前記端末側通信ステップは、前記加算後の前記端末の通信量を受信し、
前記表示ステップは、前記受信した前記加算後の通信量を表示し、
前記時間が前記第５の間隔を過ぎていないと判定された場合、
前記管理装置側通信ステップは、前記記憶された前記端末の通信量を前記端末に送信し、
前記端末側通信ステップは、前記端末の通信量を受信し、
前記表示ステップは、前記受信した前記端末の通信量を表示する
ことを特徴とする端末管理方法。
【請求項１３】
端末と、該端末をネットワークに接続する管理装置とを含む端末管理システムによる端末管理方法であって、
前記管理装置は、
前記端末の通信量を第１の間隔毎に計算する管理装置側計算ステップと、
前記計算された前記端末の通信量を記憶する管理装置側記憶ステップと、
前記記憶された前記端末の通信量を前記端末に送信する管理装置側通信ステップと
を有し、
前記端末は、
前記第１の間隔の起点である前記端末の通信量の計算タイミングに対応させて定期的に、前記計算される前記端末の通信量を取得する前記端末の通信量の定期取得要求を送信し、該取得要求に応じて前記送信された前記端末の通信量を受信する端末側通信ステップと、
前記端末の通信量を表示する表示ステップと、
前記受信された前記端末の通信量を管理通信量として記憶する端末側記憶ステップと、
前記表示される通信量を更新する画面更新タイミングにて、前記定期取得要求を送信する送信タイミングから、前記画面更新タイミングまでの時間が、前記定期取得要求の送信タイミングから前記第１の間隔より短い所定時間を経た第６の間隔を過ぎているか否かを判定する判定ステップと、
推定通信量を計算する端末側計算ステップと、
を有し、
更に、前記端末は、前記送信タイミングにおける前記端末において計測された通信量を基準端末通信量として記憶する基準端末通信量記憶ステップを有し、
前記時間が前記第６の間隔を過ぎていると判定された場合、
前記端末側計算ステップは、当該判定時点における前記端末において計測している通信量である端末通信量と前記記憶された前記基準端末通信量との差分を、前記管理通信量に加算して前記推定通信量を計算し、
前記表示ステップは、前記推定通信量を表示し、
前記時間が前記第６の間隔を過ぎていないと判定された場合、
前記表示ステップは、前記記憶された管理通信量を表示する
ことを特徴とする端末管理方法。
【請求項１４】
端末と、該端末をネットワークに接続する管理装置とを含む端末管理システムによる端末管理方法であって、
前記管理装置は、
前記端末の通信量を第１の間隔毎に計算する管理装置側計算ステップと、
前記計算された前記端末の通信量を記憶する管理装置側記憶ステップと、
前記端末の通信量が計算されると、前記記憶された前記端末の通信量を前記端末に送信する管理装置側通信ステップと
を有し、
前記端末は、
前記送信された前記端末の通信量を受信する端末側通信ステップと、
前記端末の通信量を表示する表示ステップと、
前記受信された前記端末の通信量を管理通信量として記憶する端末側記憶ステップと、
前記表示される通信量を更新する画面更新タイミングにて、前記管理装置から前記端末の通信量を受信する受信タイミングから、前記画面更新タイミングまでの時間が、前記受信タイミングから前記第１の間隔より短い所定時間を経た第７の間隔を過ぎているか否かを判定する判定ステップと、
推定通信量を計算する端末側計算ステップと、
を有し、
更に、前記端末は、前記受信タイミングにおける前記端末において計測された通信量を基準端末通信量として記憶する基準端末通信量記憶ステップを有し、
前記時間が前記第７の間隔を過ぎていると判定された場合、
前記端末側計算ステップは、当該判定時点における前記端末において計測している通信量である端末通信量と前記記憶された前記基準端末通信量との差分を前記管理通信量に加算して前記推定通信量を計算し、
前記表示ステップは、前記推定通信量を表示し、
前記時間が前記第７の間隔を過ぎていないと判定された場合、
前記表示ステップは、前記記憶された管理通信量を表示する
ことを特徴とする端末管理方法。
【発明の詳細な説明】
【技術分野】
【０００１】
本発明は、端末管理システム、端末管理方法、及び、プログラムに関する。
【背景技術】
【０００２】
従来から、例えば携帯電話やスマートフォン等の情報端末において、これらの情報端末がネットワークに接続した際の通信量を、ネットワークを介してこれらの情報端末と接続された、該情報端末を管理する管理サーバ等が計測する技術が知られている。また、ネットワークに接続する情報端末それ自体がネットワークと送受信した通信量を計測する技術も知られている。例えば特許文献１には、移動通信網における通信量を計測する通信装置が開示されている。
【先行技術文献】
【特許文献】
【０００３】
【特許文献１】特開２０１６−１２７６９号公報
【発明の概要】
【発明が解決しようとする課題】
【０００４】
ところで、上述した管理サーバ等において、例えば複数の情報端末を管理等するために、これら情報端末毎の通信量を定期的に計測している。情報端末を利用するユーザは、自身が利用する情報端末の通信量をなるべく短い間隔で通信量を確認したいと考える場合がある。しかし、管理サーバ等に接続される情報端末の数が多ければ多いほど、その情報端末の数に比例して計算する通信量が増えることとなり、各情報端末の通信量を計算する間隔を短くすればするほど管理サーバにかかる処理負荷が大きくなってしまう。他方、上記のように情報端末において通信量を計測することができるものの、例えば計測環境の違い等により、情報端末で計測された通信量が管理サーバ等において計測された通信量と一致しないことがある。よって、上記のように情報端末で計測された通信量を表示しても、表示される通信量は管理サーバ等において計測された通信量を表しているとは限らず、正確性に欠ける。
【０００５】
本発明は、このような実情に鑑みてなされたものであって、ユーザが通信量を確認したい時に、より正確な通信量を表示することを目的とする。
【課題を解決するための手段】
【０００６】
上記の課題を解決するため、本発明の端末管理システムは、端末と、該端末をネットワークに接続する管理装置とを含む端末管理システムであって、管理装置は、端末の通信量を第１の間隔毎に計算する管理装置側計算手段と、管理装置側計算手段により計算された端末の通信量を記憶する管理装置側記憶手段と、管理装置側記憶手段に記憶された端末の通信量を端末に送信する管理装置側通信手段とを備え、端末は、管理装置側通信手段により送信された端末の通信量を受信する端末側通信手段と、端末の通信量を表示する表示手段と、端末側通信手段により受信した端末の通信量を管理通信量として記憶する端末側記憶手段と、を備え、表示手段は、端末側記憶手段に管理通信量が記憶されたタイミングから表示手段に表示される通信量を更新するタイミングまでの時間が第１の間隔以下の場合、管理通信量が記憶されたタイミングから表示手段に表示される通信量を更新するタイミングまでの端末において計測している通信量である端末通信量の累積値を、端末側記憶手段に記憶された管理通信量に加算した推定通信量を用いて端末の通信量を表示することを特徴とする。
【発明の効果】
【０００７】
本発明によれば、ユーザが通信量を確認したい時に、より正確な通信量を表示することが可能となる。
【図面の簡単な説明】
【０００８】
【図１】本発明の実施形態における端末管理システムの概略構成図である。
【図２Ａ】本発明の実施形態における端末管理システムを構成する管理装置のハードウェア構成図である。
【図２Ｂ】本発明の実施形態における端末管理システムを構成する端末のハードウェア構成図である。
【図３】本発明の第１実施形態における端末管理システムの機能ブロック図である。
【図４】本発明の実施形態における端末管理システムを構成する端末の表示部に表示される表示画像の一例を示す模式図である。
【図５】本発明の第１実施形態における端末管理システムの動作手順を示すフローチャートである。
【図６】本発明の第１実施形態における端末管理システムの動作手順を示すフローチャートである。
【図７】本発明の第２実施形態における端末管理システムの機能ブロック図である。
【図８】本発明の第２実施形態における端末管理システムの動作手順を示すフローチャートである。
【図９】本発明の第３実施形態における端末管理システムの機能ブロック図である。
【図１０】本発明の第３実施形態における端末管理システムの動作手順を示すフローチャートである。
【図１１】本発明の第３実施形態における端末管理システムの動作手順を示すフローチャートである。
【図１２】本発明の第４実施形態における端末管理システムの機能ブロック図である。
【図１３】本発明の第４実施形態における端末管理システムの動作手順を示すフローチャートである。
【図１４】本発明の第４実施形態における端末管理システムの動作手順を示すフローチャートである。
【図１５】本発明の第５実施形態における端末管理システムの機能ブロック図である。
【図１６】本発明の第５実施形態における端末管理システムの動作手順を示すフローチャートである。
【図１７】本発明の第５実施形態における端末管理システムの動作手順を示すフローチャートである。
【図１８】本発明の第６実施形態における端末管理システムの機能ブロック図である。
【図１９】本発明の第６実施形態における端末管理システムの動作手順を示すフローチャートである。
【図２０】本発明の第６実施形態における端末管理システムの動作手順を示すフローチャートである。
【発明を実施するための形態】
【０００９】
本発明の実施形態における端末管理システムについて図を用いて以下説明する。なお、各図中、同一又は相当する部分には同一の符号を付しており、その重複説明は適宜に簡略化乃至省略する。
【００１０】
［本実施形態における端末管理システムの概略構成について］
本実施形態における端末管理システム１の概略構成について図１を参照して説明する。ここでは、端末管理システム１が、管理装置１０と端末２０ａ〜２０ｃとが通信回線網５を介して接続されたシステムであるものとして説明する。また、図１には、端末２０ａ、端末２０ｂ、及び端末２０ｃの３端末を図示しているが、これは本実施形態における管理装置１０が複数の端末と接続されていることを説明するため、また図を簡略にするための例示であり、本実施形態における端末管理システム１が適用される実際のシステムにおける端末数を３台に限定するものでないことは言うまでもなく、当然４台以上であってもよい。なお、以下では、端末２０ａ〜２０ｃを代表する端末としての端末２０を用いて説明する。
【００１１】
管理装置１０は、端末２０を例えばインターネット等のネットワーク３０へ接続する装置であり、端末２０に対し、管理装置１０が持つ機能やサービス、又はデータ等を提供する、例えばサーバコンピュータ等である。本実施形態においては、端末２０をネットワーク３０に接続した際、端末２０がネットワーク３０において通信した通信量を管理装置１０が管理することを主として説明する。なお、ここでいう「管理」には少なくとも、ネットワーク３０における端末２０の通信を監視し、通信量を計測すること、計測した通信量を記憶部に記憶すること、記憶部に記憶した通信量を端末２０に送信すること等が含まれる。その際、管理装置１０は、複数の端末２０を管理するため、例えば個々の端末２０を識別する識別子などを用いればよい。また、管理装置１０は、通信量を計測する際に、端末２０がネットワーク３０において通信した通信の内、所定の通信の通信量は計測対象外にしてもよい。さらに、本実施形態においては、管理装置１０は端末２０を管理するための上述の機能を必ずしも全て有する単体の装置でなくてもよい。例えば、端末２０をネットワーク３０に接続する機能を有する装置や、ネットワーク３０における端末２０の通信量を監視・計測する機能を有する装置や、各端末２０からの要求に対応して通信量を各端末２０に送信する機能を有する装置や、通信量など各種データを記憶する機能を有する装置等、複数の装置に分けた構成であり、その内の少なくとも１つ以上の機能を有する装置であってもよい。
【００１２】
通信回線網５は、上述のとおり、端末２０と管理装置１０との通信を実現するために接続ないし構成される回線網であり、例えばＬＴＥ（Ｌｏｎｇ  Ｔｅｒｍ  Ｅｖｏｌｕｔｉｏｎ）や３Ｇ（３ｒｄ  Ｇｅｎｅｒａｔｉｏｎ）等の規格による携帯通信回線網や無線ＬＡＮ通信回線網などである。なお、通信回線網５は、携帯通信回線網や無線ＬＡＮ通信回線網等の無線通信回線網に限定されず、有線通信回線網であっても、ネットワーク３０の一部であってもよい。また、管理装置１０が監視・計測する端末２０の通信量として、ネットワーク３０における通信量に限定されず、通信回線網５を介した管理装置１０と端末２０とによる通信量や端末２０が通信回線網５を介して他の端末と通信した通信量が含まれてもよいし、含まれなくてもよい。
【００１３】
端末２０は、例えばスマートフォン、携帯電話、タブレットコンピュータ等の携帯情報端末や、パーソナルコンピュータ等の情報処理装置、通信機能を有するゲーム機等、管理装置１０を介してネットワーク３０において通信を行う端末であればよい。
【００１４】
［本実施形態における管理装置のハードウェア構成について］
本実施形態における管理装置１０のハードウェア構成について、図２Ａを参照して説明する。管理装置１０は、プロセッサ１１、メモリ１２、ディスプレイ１３、補助記憶ユニット１４、通信インタフェース１５、及び入力ユニット１６を備える。プロセッサ１１は、管理装置１０が有する機能を実行する演算装置であり、例えばＣＰＵ（Ｃｅｎｔｒａｌ  Ｐｒｏｃｅｓｓｉｎｇ  Ｕｎｉｔ）やＭＰＵ（Ｍｉｃｒｏ−Ｐｒｏｃｅｓｓｉｎｇ  Ｕｎｉｔ）等である。メモリ１２には、例えば、管理装置１０が有する機能を実現するためのプログラムを格納するＲＯＭ（Ｒｅａｄ  Ｏｎｌｙ  Ｍｅｍｏｒｙ）や、そのプログラムをＲＯＭから読みだして、プロセッサ１１が実行するためのワークメモリとして機能するＲＡＭ（Ｒａｎｄｏｍ  Ａｃｃｅｓｓ  Ｍｅｍｏｒｙ）等が含まれる。ディスプレイ１３は、例えば液晶ディスプレイ等であり、文字や図形等で構成される画像を表示する表示装置である。補助記憶ユニット１４は、例えばハードディスク等の不揮発性の記憶装置であり、端末２０に提供する機能及びサービスを実現する各種プログラムや、上述した端末２０を識別する識別子等のデータを記憶する。通信インタフェース１５は、通信回線網５を構成する通信回線と接続されることで、端末２０との通信を実現するためのデータを入出力する入出力ポートである。入力ユニット１６は、例えばキーボードやマウス等、管理装置１０を操作する管理者等がデータ入力等の操作を行うためのデバイスである。
【００１５】
［本実施形態における端末のハードウェア構成について］
本実施形態における端末２０のハードウェア構成について、図２Ｂを参照して説明する。端末２０は、プロセッサ２１、メモリ２２、ディスプレイ２３、アンテナ２４、無線ユニット２５、通信制御ユニット２６、及び入力ユニット２７を備える。プロセッサ２１は、端末２０が有する機能を実行する演算装置であり、例えばＣＰＵやＭＰＵ等である。メモリ２２には、例えば、端末２０が有する機能を実現するためのプログラムを格納するＲＯＭや、そのプログラムをＲＯＭから読みだして、プロセッサ２１が実行するためのワークメモリとして機能するＲＡＭ等が含まれる。ディスプレイ２３は、例えば液晶ディスプレイや有機ＥＬディスプレイ等であり、文字や図形等で構成される画像を表示する表示装置である。アンテナ２４は、端末２０が、無線通信回線網を介して無線通信を行うために電波を送受信する。無線ユニット２５は、送信するデータ（信号）をアンテナ２４が送信する電波に変換（変調）し、アンテナ２４が受信した電波を復調してデータ（信号）を取り出す。通信制御ユニット２６は、プロセッサ２１やメモリ２２から送られたデータを無線ユニット２５へ中継し、無線ユニット２５から送られたデータをプロセッサ２１やメモリ２２へ中継する。入力ユニット２７は、例えばタッチ操作を受け付けるタッチパネルや数字や記号をあしらった入力キー等、端末２０を操作するユーザがデータ入力等の操作を行うためのデバイスである。なお、端末２０がＬＴＥや３Ｇ、無線ＬＡＮのそれぞれに接続する機能を有する場合、それぞれの通信規格に対応したアンテナ２４や無線ユニット２５が搭載されることは言うまでもない。
【００１６】
［本発明の第１実施形態における端末管理システムの機能ブロックについて］
本発明の第１実施形態における端末管理システム１の機能ブロックについて図３を参照して説明する。まず、管理装置１０は、管理装置側計算部１０１、管理装置側記憶部１０２、及び管理装置側通信部１０３を備える。管理装置側計算部１０１は、端末２０がネットワークにおいて通信した通信量を、例えば１時間等の所定の時間間隔毎に計算する管理装置側計算手段である。端末２０の通信量は、一例として、月の初めから月の終わりまでの通信量を基に端末２０のユーザに課金を行うために、管理装置側記憶部１０２に記憶されるものである。そのため、管理装置側計算部１０１は、所定の時間間隔毎に、その月に端末２０がネットワークにおいて通信した通信量を計算し、管理装置側記憶部１０２に記憶された端末２０の通信量が更新される。管理装置側計算部１０１は、例えば、図２Ａに示したプロセッサ１１によりその機能が実現される。管理装置側記憶部１０２が端末２０のネットワークにて通信した通信ログを記憶しておき、管理装置側計算部１０１がその記憶された通信ログを用いて、端末２０の通信量を計算してもよい。なお、第１実施形態及び後述する各実施形態において、この時間間隔を「第１の間隔」とする。管理装置１０において、上記のような時間間隔で端末２０の通信量を計算するのは、次の理由による。管理装置１０に接続される端末２０の数が多ければ多いほど、その端末２０の数に比例して計算する通信量が増えることとなり、その計算間隔を短くすればするほど管理装置１０にかかる処理負荷が大きくなるため、これを軽減する必要があるからである。
【００１７】
管理装置側記憶部１０２は、管理装置側計算部１０１により計算された端末２０の通信量を記憶する管理装置側記憶手段である。管理装置側記憶部１０２は、例えば、図２Ａに示したプロセッサ１１、メモリ１２、補助記憶ユニット１４によりその機能が実現される。管理装置側記憶部１０２は、端末２０を識別する識別子と共に通信量を記憶することで、複数の端末２０のうち、どの端末２０の通信量かを認識することができる。管理装置側記憶部１０２に記憶された端末２０の通信量は、「第１の間隔」毎に端末２０がネットワークにおいて通信した通信量に応じて更新される。
【００１８】
管理装置側通信部１０３は、管理装置側記憶部１０２に記憶された端末２０の通信量を端末２０に送信する管理装置側通信手段である。管理装置側通信部１０３は、例えば、図２Ａに示したプロセッサ１１や通信インタフェース１５によりその機能が実現される。また、管理装置側通信部１０３は、端末２０から端末２０を識別する識別子や、管理装置側記憶部１０２に記憶された端末２０の通信量の取得要求を受信する。その他、管理装置側通信部１０３は、端末２０から要求された場合などにおいて、上述した「第１の間隔」についての情報を送信する。
【００１９】
次に、端末２０は、端末側通信部２０１、端末側記憶部２０２、判定部２０３、端末側計算部２０４、表示部２０５、入力部２０６を備える。端末側通信部２０１は、管理装置側通信部１０３により送信された端末２０の通信量を受信する端末側通信手段である。端末側通信部２０１は、例えば、図２Ｂに示したアンテナ２４、無線ユニット２５、通信制御ユニット２６によりその機能が実現される。また、端末側通信部２０１は、必要に応じて管理装置１０から「第１の間隔」についての情報を受信する。また、端末側通信部２０１は、管理装置１０において計算される端末２０の通信量の取得を要求する「取得要求」を送信する。なお、取得要求には、端末２０を識別する識別子が含まれ、取得要求を受信した管理装置側通信部１０３は、管理装置側記憶部１０２に記憶されている取得要求に含まれる識別子に対応した端末２０の通信量を、取得要求に含まれる識別子に対応する端末２０に送信する。
【００２０】
端末側記憶部２０２は、端末側通信部２０１により受信した端末２０の通信量を「管理通信量」として記憶し、端末２０において、端末側通信部２０１に送受信されたデータを計測した通信量の累積値を「端末通信量」として記憶する端末側記憶手段である。端末側記憶部２０２は、例えば、プロセッサ２１、メモリ２２によりその機能が実現される。なお、端末側記憶部２０２に管理通信量が記憶された場合、それまでに累積された端末通信量をリセットして、新たに端末通信量が累積されることとしてもよい。
【００２１】
判定部２０３は、端末側記憶部２０２に管理通信量が記憶されたタイミングから表示部２０５に表示する通信量を更新するタイミングまでの時間が「第１の間隔」以下の「第２の間隔」を過ぎているか否かを判定する判定手段である。判定部２０３は、例えば、図２Ｂに示したプロセッサ２１、メモリ２２によりその機能が実現される。第１実施形態において、「第２の間隔」とは、例えば「第１の間隔」の例として上述した１時間と同じ時間であっても、例えば「第１の間隔」を１時間とした場合に、それより短い例えば３０分であってもよい。
【００２２】
端末側計算部２０４は、判定部２０３により上記の時間が「第２の間隔」を過ぎていないと判定された場合、管理通信量が記憶されたタイミングに端末側記憶部２０２に記憶された端末通信量と、通信量の表示を更新するタイミングでの端末通信量との差分を計算する。この差分は、つまり、管理通信量が記憶されたタイミングから累積された端末通信量である。この管理通信量が記憶されたタイミングから累積された端末通信量を管理通信量に加算した「推定通信量」を計算する端末側計算手段である。端末側計算部２０４は、例えば、図２Ｂに示したプロセッサ２１、メモリ２２によりその機能が実現される。以下の説明において、端末側記憶部２０２に管理通信量が記憶されたタイミングに記憶された端末通信量を「基準端末通信量」とする。基準端末通信量は、端末側計算部２０４により上述の差分を計算するための基準とする端末通信量である。なお、以下の説明では、累積された端末通信量をリセットしない場合で説明しているが、もし、管理通信量が記憶された時に累積された端末通信量をリセットする場合は、基準端末通信量は「０」となる。また、基準端末通信量を記憶するタイミングは、管理通信量が記憶されるタイミングに限定されず、端末２０が管理装置１０において計算された通信量を確認できるタイミングや、管理装置１０において端末２０の通信量を計算したタイミング、管理装置１０から指示されたタイミングなどでもよい。また、「端末通信量」は、例えば、端末２０にインストールされるオペレーティングソフトウェア（以下「ＯＳ」という。）等に問い合わせることにより取得することができる。なお、ＯＳは、端末側通信部２０１によって送受信されたデータの通信量の累積値をメモリ２２等に記憶しておく。ここでは、ＯＳから取得できる端末通信量は、端末２０において、端末側通信部２０１にて送受信されたデータを、ＯＳ独自の時点から計測した通信量の累積値であるとして説明をするが、これに限らない。ＯＳが、日時とその時点での通信量を記憶している場合は、端末側計算部２０４は、管理通信量が記憶されたタイミングでの基準端末通信量と表示する通信量を更新するタイミングでの通信量とをＯＳから取得し、管理通信量が記憶されたタイミングから累積された端末通信量を計算してもよい。本実施形態においては、管理装置１０で計算される端末２０の通信量と略同一ないし近似する通信量を示す造語として「推定通信量」を使用し、推定通信量は上記のとおり端末２０において計算される。
【００２３】
一方、端末側通信部２０１は、判定部２０３により所定のタイミングから表示部２０５に表示する通信量を更新するタイミングまでの時間が「第２の間隔」を過ぎていると判定された場合、上述した取得要求を管理装置１０へ送信する。この場合、管理装置側通信部１０３が取得要求を受信すると、取得要求を受信する前に管理装置側計算部１０１により計算され、管理装置側記憶部１０２に記憶された通信量を端末２０へ送信する。端末側通信部２０１により通信量を受信すると、端末側記憶部２０２は受信した通信量を更新後の管理通信量として記憶する。
【００２４】
表示部２０５は、端末側計算部２０４により計算された推定通信量や、上記した管理通信量を表示する表示手段であり、例えば、図２Ｂに示したプロセッサ２１、メモリ２２、ディスプレイ２３によりその機能が実現される。なお、第１実施形態及び後述する各実施形態において、上記の推定通信量や管理通信量がディスプレイ２３に表示される画面表示例を図４に示す。図４は、例えばＬＴＥや３Ｇによる通信量を示した画面表示例である。ここでは、左側にディスプレイ２３に表示される画面更新前の通信量として、4／10の15:01時点での通信量「400／5000ＭＢ」が表示される表示画面例を示し、右側に画面更新後の通信量として、4／10の15:15時点での通信量「500／5000ＭＢ」が表示される表示画面例を示している。管理通信量を表示する場合の日時は、管理装置１０が端末２０の通信量を計算した日時でもよいし、端末２０が管理通信量を記憶した日時などでもよい。また、推定通信量を表示する場合の日時は、後述の画面更新タイミングの日時でもよいし、推定通信量を計算した日時でもよい。「5000ＭＢ」は、ＬＴＥや３Ｇにより通信可能な通信量の上限が予め定められている場合の数値例であり、「400ＭＢ」や「500ＭＢ」は使用した通信量の例である。なお、上述したように、「第２の間隔」が例えば３０分である場合は、画面更新後の画面表示例において表示される通信量は、通信量の要求または管理通信量の更新から１４分しか経過していないことから、端末２０において計算された推定通信量を示すことになる。そのため、表示部２０５は、図４の画面表示例では、画面更新後には、「更新」ではなく、「推定」と表示する。
【００２５】
入力部２０６は、ユーザによる通信量の表示画面を更新する指示である画面更新指示が入力される入力手段であり、例えば、図２Ｂに示したプロセッサ２１、入力ユニット２７によりその機能が実現される。例えば、図２Ｂに示したディスプレイ２３の下層に入力ユニット２７であるタッチパネルが設けられている場合に、ディスプレイ２３に表示された通信量を更新する通信量更新アイコンが、ユーザによりタップされたことを検知する。
【００２６】
［本発明の第１実施形態における動作手順について］
本発明の第１実施形態における動作手順について図５及び図６を参照して説明する。第１実施形態においては、「第２の間隔」は管理通信量を端末側記憶部２０２に記憶したタイミング（以下「タイミング１」という。）から管理装置１０に端末２０の通信量の取得要求を行う必要があるタイミングまでの時間とし、「第１の間隔」と同程度の時間であるものとする。つまり、「第２の間隔」を経過すると、管理装置１０に記憶されている端末２０の通信量が更新されている。また、管理装置１０が端末２０の通信量を計算（更新）するタイミング間の時間を「第１の間隔」とし、「第１の間隔」の起点となるタイミングを「タイミング２」、「第１の間隔」の終点となるタイミングを「タイミング３」とする。
【００２７】
まず、端末側記憶部２０２は、タイミング１において、管理装置１０から受信した端末２０の通信量を管理通信量として記憶し、ＯＳから取得した端末通信量を基準端末通信量として記憶する（ステップＳ１、ステップＳ２）。他方、管理装置側計算部１０１は、タイミング２において端末２０がネットワーク３０にて通信した通信量を計算し、計算した端末２０の通信量を管理装置側記憶部１０２に記憶する（ステップＳ３、ステップＳ４）。
【００２８】
入力部２０６に画面に表示された通信量に対する画面更新が指示された時、ＬＴＥ／３Ｇによる通信と無線ＬＡＮによる通信との通信種別を切替した時、通信量を表示するアプリケーションの起動した時などの画面に表示される通信量の更新を行う画面更新タイミングで、判定部２０３は、タイミング１からこの画面更新タイミングまでの時間が、上述の「第２の間隔」を経過したか判定する。判定部２０３により、タイミング１から画面更新タイミングまでの時間が「第２の間隔」を経過していないと判定された場合（ステップＳ５）、端末側計算部２０４は基準端末通信量とＯＳから取得した現在の端末通信量との差分を計算し（ステップＳ６）、その差分を管理通信量に加算する（ステップＳ７）。
【００２９】
表示部２０５は、差分が加算された推定通信量を表示する（ステップＳ８）。その後、タイミング３が到来し、管理装置側計算部１０１により計算された端末２０の通信量が管理装置側記憶部１０２に記憶される（ステップＳ９、ステップＳ１０）（ここまでの手順は図５を参照）。
【００３０】
（ここからの手順は図６を参照）他方、上述の画面更新タイミングにて、判定部２０３により、タイミング１から画面更新タイミングまでの時間が「第２の間隔」を経過していると判定された場合（ステップＳ１１）、端末側通信部２０１は、通信量の取得要求を管理装置１０に送信する（ステップＳ１２）。
【００３１】
管理装置側通信部１０３は、取得要求を受信すると、端末２０の通信量として、ここではタイミング３において管理装置側計算部１０１により計算され、記憶された端末２０の最新の通信量を管理装置側記憶部１０２から読み込み（ステップＳ１３）、読込んだ最新の通信量を端末２０に送信する（ステップＳ１４）。
【００３２】
表示部２０５は、端末側通信部２０１により受信した最新の通信量をディスプレイ２３に表示する。また、端末側記憶部２０２は、端末側通信部２０１により受信した最新の通信量を管理通信量として記憶し、ＯＳから取得した端末通信量を基準端末通信量として記憶する（ステップＳ１５）。なお、ステップＳ１５以降は、ステップＳ１とステップＳ２以降と同じ手順をアプリケーションが終了されるまで繰り返す。以上、第１実施形態によれば、端末２０において管理通信量を記憶したタイミングから通信量を表示する画面の更新を行う画面更新タイミングまでの時間が、管理装置１０において計算される端末２０の通信量の更新タイミングである「第１の間隔」と同程度の「第２の間隔」を過ぎていないときは、端末２０において記憶済の管理通信量に基準端末通信量と画面更新タイミング時点の端末通信量との差分を加算した推定通信量として表示部２０５により表示するため、管理装置１０への処理負荷をかけることがなく、かつ、推定通信量として実際の通信量に近い値を表示することができる。一方、画面更新タイミングまでの時間が「第２の間隔」を過ぎているときは、「第１の間隔」も過ぎており、管理装置１０において端末２０の通信量が更新されているため、この場合は、端末２０から取得要求が管理装置１０に送信され、管理装置１０は最新の通信量を端末２０に送信し、端末２０においてこれを管理通信量として表示するため、管理装置１０で更新後の新しい通信量をユーザに提供することができる。したがって、ユーザが通信量を確認したい時に、より正確な通信量を表示することができる。
【００３３】
［本発明の第２実施形態における端末管理システムの機能ブロックについて］
図７は、本発明の第２実施形態の端末管理システムの機能ブロックを示した図である。図７において、図３に示したものと同一構成のものには同一符号を付してある。以下、第２実施形態の端末管理システムにおいて、図３に示した第１実施形態の端末管理システムと異なる点を中心に説明する。
【００３４】
第２実施形態の端末管理システムでは、端末２０の代わりに端末２０Ａが用いられる。判定部２０３の代わりに判定部２０３Ａが用いられる。表示部２０５の代わりに表示部２０５Ａが用いられる。判定部２０３Ａは、判定部２０３の機能に加えて、端末側記憶部２０２に管理通信量が記憶されたタイミングから間もない「第３の間隔」を過ぎているか否かを判定する。ここでは、端末側記憶部２０２が管理通信量を記憶したタイミング１から間もないタイミングまでの間隔を「第３の間隔」としている。なお、「第３の間隔」は上述した「第２の間隔」より短い時間間隔であることは言うまでもなく、例えばタイミング１から１〜５分程度のごく短い時間に相当する。表示部２０５Ａは、表示部２０５の機能に加えて、端末側記憶部２０２に記憶された管理通信量を表示する。
【００３５】
［本発明の第２実施形態における動作手順について］
本発明の第２実施形態における動作手順について図８を参照して説明する。なお、第１実施形態と同様の手順についての説明は省略する。
【００３６】
上述の画面更新タイミングにて、判定部２０３Ａにより、タイミング１から通信量の画面更新までのタイミングが「第３の間隔」を経過していないと判定された場合（ステップＳ２１）、表示部２０５Ａは、端末側記憶部２０２にタイミング１において記憶された管理通信量をそのまま表示する（ステップＳ２２）。管理通信量として端末側記憶部２０２に記憶されて間もないタイミングで画面更新の要求があった場合、たとえその間に端末２０が通信を行っていたとしても、計上される通信量はごくわずかでしかないことが容易に推測されるため、そのような場合においてまで、管理装置１０へ取得要求を送信して、さほど変わりない通信量を計算させることは、管理装置１０に処理負荷をかけてしまう。第２実施形態によれば、そのような場合は、既に記憶された管理通信量をそのまま表示するため、管理装置１０へ取得要求を送信して通信量を計算させる等の装置負荷をなくすことができる。なお、この場合、表示部２０５Ａは、例えば図４に示した画面表示例において、管理理装置１０が端末２０Ａの通信量を計算した日時や管理通信量を記憶した時間ではなく、画面更新タイミングを更新時間として表示してもよい。ここでは、タイミング１から通信量の取得要求までのタイミングが「第３の間隔」を経過した場合について記載していないが、「第３の間隔」を超える場合については第１実施形態において説明した「第２の間隔」を経過していない場合または「第２の間隔」を経過した場合の動作手順によって処理されるため説明を省略している。
【００３７】
［本発明の第３実施形態における端末管理システムの機能ブロックについて］
図９は、本発明の第３実施形態の端末管理システムの機能ブロックを示した図である。図９において、図３に示したものと同一構成のものには同一符号を付してある。以下、第３実施形態の端末管理システムにおいて、上述した第１実施形態及び第２実施形態の端末管理システムと異なる点を中心に説明する。
【００３８】
第３実施形態の端末管理システムでは、端末２０の代わりに端末２０Ｂが用いられる。端末側通信部２０１の代わりに端末側通信部２０１Ｂが用いられる。端末側記憶部２０２の代わりに端末側記憶部２０２Ｂが用いられる。判定部２０３の代わりに判定部２０３Ｂが用いられる。端末側計算部２０４の代わりに端末側計算部２０４Ｂが用いられる。表示部２０５の代わりに表示部２０５Ｂが用いられる。また、管理装置１０の代わりに管理装置１０Ｂが用いられる。管理装置側通信部１０３の代わりに管理装置側通信部１０３Ｂが用いられる。
【００３９】
端末側通信部２０１Ｂは、端末２０Ｂの通信量の取得要求を管理装置１０Ｂに送信し、管理装置１０Ｂから端末２０Ｂの通信量を受信する。端末側記憶部２０２Ｂは、端末側通信部２０１Ｂにより受信した端末２０Ｂの通信量を管理通信量として記憶することに加え、管理装置側計算部１０１により端末２０Ｂの通信量が計算される「第１の間隔」を記憶し、該記憶した「第１の間隔」の起点である端末２０Ｂの通信量の計算タイミングに合わせて、その計算タイミングにおける端末２０Ｂにおいて計測された通信量を基準端末通信量として記憶する。判定部２０３Ｂは、端末側記憶部２０２Ｂに基準端末通信量が記憶されたタイミングから、表示部２０５Ｂに表示される端末の通信量を更新するタイミングまでの時間が、端末通信量が記憶されたタイミングから所定時間を経た「第４の間隔」を過ぎているか否かを判定する。また、管理装置側通信部１０３Ｂは、「第１の間隔」についての情報を端末２０Ｂにその通信量と共に送信してもよい。ここで、第３実施形態において、タイミング４から所定時間を経た時間間隔を「第４の間隔」としている。「第４の間隔」は、第２実施形態における「第３の間隔」と同程度の時間に相当するが、これに限定されない。
【００４０】
［本発明の第３実施形態における動作手順について］
本発明の第３実施形態における動作手順について図１０及び図１１を参照して説明する。なお、第１実施形態及び第２実施形態と同様の手順についての説明は省略する。ここでは、端末側記憶部２０２Ｂが基準端末通信量を記憶するタイミングを「タイミング４」とし、管理装置１０Ｂにおいて端末２０Ｂの通信量を計算するタイミング２とタイミング４とが同タイミングであるものとする。タイミング４をタイミング２と同タイミングとするため、端末２０Ｂは管理装置１０Ｂにおける端末２０Ｂの通信量の計算（更新）タイミングとその更新間隔とを把握する情報である「第１の間隔」についての情報を予め取得し、端末側記憶部２０２Ｂに記憶しておく。なお、端末側通信部２０１Ｂにより端末２０Ｂの通信量と共に「第１の間隔」についての情報を受信しても、端末２０Ｂの起動時など、既定のタイミングにおいて、管理装置１０Ｂに「第１の間隔」についての情報を要求し、これにより受信した「第１の間隔」についての情報に基いて基準端末通信量を記憶するタイミングを端末側記憶部２０２Ｂに記憶してもよい。なお、基準端末通信量を記憶するタイミングに代えて、端末側記憶部２０２Ｂが基準端末通信量を端末２０ＢにインストールされるＯＳに問い合わせるタイミングであってもよい。
【００４１】
端末側記憶部２０２Ｂは、タイミング２に対応したタイミングであるタイミング４において現時点の端末通信量をＯＳに問合せ、基準端末通信量として記憶する（ステップＳ３１）。タイミング４は、管理装置側計算部１０１が端末２０Ｂの通信量を計算し、管理装置側記憶部１０２が端末２０Ｂの通信量を更新して記憶した後が好ましい。
【００４２】
画面更新タイミングにて、端末側通信部２０１Ｂにより通信量の取得要求が管理装置１０Ｂに送信され（ステップＳ３２）、管理装置側通信部１０３Ｂが通信量の取得要求を受信すると、管理装置側通信部１０３Ｂは、管理装置側記憶部１０２に記憶された通信量を読み込み（ステップＳ３３）、読み込んだ通信量を端末２０Ｂに送信する（ステップＳ３４）。
【００４３】
端末側通信部２０１Ｂが管理装置１０Ｂから通信量を受信すると、端末側記憶部２０２Ｂは、受信した端末２０Ｂの通信量を管理通信量として記憶し、判定部２０３Ｂは、タイミング４から、画面更新タイミングまたは通信量の取得要求を送信したタイミング（以下「タイミング５」という。）までの時間が「第４の間隔」を過ぎているかいないか判定する。判定部２０３Ｂにより、タイミング４からタイミング５までの時間が「第４の間隔」を過ぎていないと判定された場合（ステップＳ３５）、表示部２０５Ｂは、端末側通信部２０１Ｂにより受信した通信量を表示する（ステップＳ３６）（ここまでの手順は図１０を参照）。
【００４４】
（ここからの手順は図１１を参照）他方、判定部２０３Ｂにより、タイミング４からタイミング５までの時間が「第４の間隔」を過ぎていると判定された場合（ステップＳ４１）、端末側計算部２０４Ｂは、現判定時点の端末通信量をＯＳに問合せ、端末側記憶部２０２Ｂに記憶された基準端末通信量と現判定時点での端末通信量との差分を計算し（ステップＳ４２）、端末側通信部２０１Ｂにより受信した端末２０の通信量に計算した差分を加算する（ステップＳ４３）。
【００４５】
表示部２０５Ｂは、端末側計算部２０４Ｂにより差分が加算された推定通信量を表示する（ステップＳ４４）。なお、第１実施形態と同様に、画面更新タイミングにて、判定部２０３Ｂが、前回、管理装置１０Ｂから通信量を受信したタイミングから、この画面更新タイミングまでの時間が、「第１の間隔」を経過したか判定し、通信量を受信したタイミングから画面更新タイミングまでの時間が「第１の間隔」を経過していないと判定された場合、通信量の取得要求を管理装置１０Ｂに送信せずに、前回受信した通信量を用いるようにしてもよい。以上、第３実施形態によれば、基準端末通信量を端末２０Ｂにおいて記憶するタイミングと管理装置１０Ｂにおいて通信量が計算されるタイミングとを合わせるため、端末側計算部２０４Ｂにより計算される差分がより実際の通信量に近いものとなり、計算される推定通信量もより正確性が向上することになり、ユーザが通信量を確認したい時に、より正確な通信量を表示することができる。
【００４６】
［本発明の第４実施形態における端末管理システムの機能ブロックについて］
図１２は、本発明の第４実施形態の端末管理システムの機能ブロックを示した図である。図１２において、図３に示したものと同一構成のものには同一符号を付してある。以下、第４実施形態の端末管理システムにおいて、上述した第１実施形態から第３実施形態の端末管理システムと異なる点を中心に説明する。
【００４７】
第４実施形態の端末管理システムでは、端末２０の代わりに端末２０Ｃが用いられる。端末側通信部２０１の代わりに端末側通信部２０１Ｃが用いられる。端末側計算部２０４の代わりに端末側計算部２０４Ｃが用いられる。表示部２０５の代わりに表示部２０５Ｃが用いられる。また、管理装置１０の代わりに管理装置１０Ｃが用いられる。管理装置側計算部１０１の代わりに管理装置側計算部１０１Ｃが用いられる。管理装置側通信部１０３の代わりに管理装置側通信部１０３Ｃが用いられる。管理装置１０Ｃは、さらに管理装置側判定部１０４を備える。
【００４８】
端末側計算部２０４Ｃは、管理装置側計算部１０１Ｃにより端末２０Ｃの通信量が計算される「第１の間隔」の起点である計算タイミングから、表示部２０５Ｃに表示される端末２０Ｃの通信量を更新するタイミングまでの端末２０Ｃにおいて計測している通信量である端末通信量を計算する。管理装置側判定部１０４は、「第１の間隔」の起点である端末２０の通信量の計算タイミングから、管理装置側通信部１０３が端末２０から取得要求を受信する受信タイミングまでの間隔が計算タイミングから所定時間を経た時間間隔（後述する「第５の間隔」に相当する。）を過ぎているか否かを判定する管理装置側判定手段である。管理装置側判定部１０４は、図２Ａに示したプロセッサ１１、メモリ１２によりその機能が実現される。管理装置側計算部１０１Ｃは、管理装置側通信部１０３Ｃを介して端末２０Ｃから受信した基準端末通信量と画面更新タイミング時点の端末通信量との差分を管理装置側記憶部１０２に記憶された端末２０Ｃの通信量に加算して推定通信量を計算する。つまり、第４実施形態では、推定通信量が管理装置１０Ｃ側で計算される点が上述した第１実施形態などと異なる。
【００４９】
［本発明の第４実施形態における動作手順について］
本発明の第４実施形態における動作手順について図１３及び図１４を参照して説明する。なお、上述した各実施形態と同様の手順についての説明は省略する。ここでは、管理装置側計算部１０１Ｃにより端末２０Ｃの通信量が計算されたタイミング２から所定時間を経た時間間隔を「第５の間隔」としている。「第５の間隔」は、第２実施形態における「第３の間隔」と同程度の時間に相当するが、これに限定されない。
【００５０】
端末側計算部２０４Ｃは、通信量の画面の更新を行う画面更新タイミングにおいて、端末側記憶部２０２に記憶された基準端末通信量と現画面更新タイミング時点の端末通信量との差分を計算する（ステップＳ５１）。なお、通信量の画面の更新を行う画面更新タイミングにおいて、基準端末通信量が端末側記憶部２０２に記憶されていない場合、差分は０とする。
【００５１】
端末側通信部２０１Ｃは、端末側計算部２０４Ｃにより計算された基準端末通信量が記憶されたタイミングから画面更新タイミングまでの端末通信量の差分を通信量の取得要求と共に管理装置１０Ｃに送信する（ステップＳ５２）。
【００５２】
管理装置側通信部１０３Ｃが取得要求を受信した場合、管理装置側判定部１０４は、タイミング２から管理装置側通信部１０３Ｃにより通信量の取得要求を受信したタイミングまでの時間が「第５の間隔」を過ぎているかいないか判定する。管理装置側判定部１０４により、タイミング２から管理装置側通信部１０３Ｃにより通信量の取得要求を受信したタイミングまでの時間が「第５の間隔」を過ぎていないと判定された場合（ステップＳ５３）、管理装置側通信部１０３Ｃは、管理装置側記憶部１０２に記憶された通信量を読込み（ステップＳ５４）、読込んだ通信量を端末２０Ｃに送信する（ステップＳ５５）。
【００５３】
表示部２０５Ｃは、端末側通信部２０１Ｃにより受信した通信量を表示する（ステップＳ５６）（ここまでの手順は図１３を参照）。
【００５４】
（ここからの手順は図１４を参照）他方、管理装置側判定部１０４により、タイミング２から管理装置側通信部１０３Ｃにより通信量の取得要求を受信したタイミングまでの時間が「第５の間隔」を過ぎていると判定された場合（ステップＳ６１）、管理装置側計算部１０１Ｃは、管理装置側記憶部１０２に記憶された通信量を読込み、読込んだ通信量に端末２０Ｃから受信した差分を加算する（ステップＳ６２）。
【００５５】
管理装置側通信部１０３Ｃは、管理装置側計算部１０１Ｃにより差分が加算された推定通信量を端末２０Ｃに送信する（ステップＳ６３）。
【００５６】
表示部２０５Ｃは、端末側通信部２０１Ｃにより受信した差分加算後の推定通信量を表示する（ステップＳ６４）。以上、第４実施形態によれば、予め端末２０Ｃにおいて計算された差分を管理装置１０Ｃが受信ないし取得し、端末２０Ｃの通信量が記憶されてからそれほど時間が経過していない場合は、管理装置側記憶部１０２に記憶された通信量を端末２０Ｃに送信し、端末２０Ｃの通信量が記憶されてからある程度の時間を経過している場合は、予め端末２０Ｃから受信した差分を記憶された通信量に加算して端末２０Ｃに送信するため、これを受信した端末２０Ｃにおいて表示される推定通信量は実際の通信量に近いものとなり、ユーザが通信量を確認したい時に、より正確な通信量を表示することができる。
【００５７】
［本発明の第５実施形態における端末管理システムの機能ブロックについて］
図１５は、本発明の第５実施形態の端末管理システムの機能ブロックを示した図である。図１５において、図３に示したものと同一構成のものには同一符号を付してある。以下、第５実施形態の端末管理システムにおいて、上述した第１実施形態から第４実施形態の端末管理システムと異なる点を中心に説明する。
【００５８】
第５実施形態の端末管理システムでは、端末２０の代わりに端末２０Ｄが用いられる。端末側通信部２０１の代わりに端末側通信部２０１Ｄが用いられる。端末側記憶部２０２の代わりに端末側記憶部２０２Ｄが用いられる。判定部２０３の代わりに判定部２０３Ｄが用いられる。端末側計算部２０４の代わりに端末側計算部２０４Ｄが用いられる。表示部２０５の代わりに表示部２０５Ｄが用いられる。また、管理装置１０の代わりに管理装置１０Ｄが用いられる。管理装置側通信部１０３の代わりに管理装置側通信部１０３Ｄが用いられる。
【００５９】
判定部２０３Ｄは、表示部２０５Ｄに表示される通信量を更新する画面更新タイミングにて、「第１の間隔」の起点である端末２０Ｄの通信量の計算タイミングに対応させて定期的に、管理装置側計算部１０１により計算される端末２０Ｄの通信量を取得する「定期取得要求」を送信する送信タイミングから、画面更新タイミングまでの時間が「定期取得要求」の送信タイミングから所定時間を経た「第６の間隔」を過ぎているか否かを判定する。第５実施形態においては、端末２０Ｄは、管理装置１０Ｄに対して通信量の取得要求を管理装置１０Ｄにおける通信量の計算タイミングに合わせて定期的に送信するものとし、この定期的に取得要求を送信することを「定期取得要求」としている。なお、第３実施形態において説明したように、端末２０Ｄは管理装置１０Ｄにおける端末２０Ｄの通信量の計算タイミングを把握する「第１の間隔」についての情報を予め取得し、端末側記憶部２０２Ｄに記憶しておく等すればよい。第５実施形態においては、定期取得要求から所定時間を経た時間間隔を「第６の間隔」としている。「第６の間隔」は、第２実施形態における「第３の間隔」と同程度の時間に相当するが、これに限定されない。
【００６０】
［本発明の第５実施形態における動作手順について］
本発明の第５実施形態における動作手順について図１６及び図１７を参照して説明する。なお、上述した各実施形態と同様の手順についての説明は省略する。
【００６１】
端末側通信部２０１Ｄは、管理装置１０Ｄにおける通信量の計算タイミング後に、定期取得要求としての通信量の取得要求を管理装置１０Ｄに送信する（ステップＳ７１）。このタイミングを以下「タイミング６」という。その後、端末側記憶部２０２Ｄは、現時点の端末通信量をＯＳに問合せ、基準端末通信量として、記憶する（ステップＳ７２）。
【００６２】
管理装置側通信部１０３Ｄは、通信量の取得要求を受信すると、管理装置側記憶部１０２に記憶された通信量を読込み（ステップＳ７３）、読込んだ通信量を端末２０Ｄに送信する（ステップＳ７４）。
【００６３】
端末側記憶部２０２Ｄは、端末側通信部２０１Ｄにより受信した通信量を記憶し、表示部２０５Ｄにより表示する（ステップＳ７５）。
【００６４】
その後、端末２０Ｄにおいて、管理装置１０Ｄにおいて端末２０Ｄの通信量が計算されるタイミング２と異なるタイミングで通信量の画面更新の要求（これを以下「不定期要求」といい、不定期要求がなされるタイミングを「タイミング７」という。）がなされたときにおいて（ステップＳ７６）、判定部２０３Ｄはタイミング６からタイミング７までの時間間隔が「第６の間隔」を過ぎているかいないか判定し、判定部２０３Ｄによりタイミング６からタイミング７までの時間間隔が「第６の間隔」を過ぎていないと判定された場合（ステップＳ７７）、表示部２０５Ｄは端末側記憶部２０２Ｄに記憶された通信量を表示する（ステップＳ７８）。なお、その後、管理装置１０Ｄにおいて端末２０Ｄの通信量が計算されるタイミング３が来た場合は、タイミング３に合わせて端末側通信部２０１Ｄは定期取得要求を行う（ステップＳ７９、このタイミングを「タイミング８」という。）。タイミング８以降の動作手順は、タイミング６以降の動作手順にて、タイミング６をタイミング８に置き換えたものと同様である（ここまでの手順は図１６を参照）。なお、「不定期要求」とは、例えば、図２Ｂに示したディスプレイ２３の下層に入力ユニット２７であるタッチパネルが設けられている場合に、ディスプレイ２３に表示された通信量を要求する通信量要求アイコンがユーザにより任意のタイミングでタップされることで要求される通信量要求や、ＬＴＥ／３Ｇによる通信と無線ＬＡＮによる通信の切替タイミング等において要求される通信量要求などをいう。
【００６５】
（ここからの手順は図１７を参照）他方、判定部２０３Ｄによりタイミング６からタイミング７までの時間間隔が「第６の間隔」を過ぎていると判定された場合（ステップＳ８１）、端末側計算部２０４Ｄは、現時点の端末通信量をＯＳに問合せ、端末側記憶部２０２Ｄに記憶された基準端末通信量と現時点の端末通信量との差分を計算し（ステップＳ８２）、端末側記憶部２０２Ｄに記憶された通信量にその差分を加算し、表示部２０５Ｄは差分が加算された推定通信量を表示する（ステップＳ８３）。なお、その後、管理装置１０Ｄにおいて端末の通信量が計算されるタイミング３が来た場合は、タイミング３に合わせて端末側通信部２０１Ｄは定期取得要求を行う。タイミング８以降の動作手順は、タイミング６以降の動作手順にて、タイミング６をタイミング８に置き換えたものと同様である。以上、第５実施形態によれば、予め端末２０Ｄから管理装置１０Ｄに通信量を要求するタイミングを管理装置１０Ｄにおいて通信量が計算されるタイミングに合わせるため、そのタイミングから所定時間（第６の間隔）を経過した後、上述したタップ等による不定期要求があった場合に、管理装置１０Ｄから受信した通信量に端末２０Ｄで計算した差分を加算した推定通信量を計算し、これを表示するため、表示される推定通信量はより実際の通信量に近いものとなり、ユーザが通信量を確認したい時に、より正確な通信量を表示することができる。
【００６６】
［本発明の第６実施形態における端末管理システムの機能ブロックについて］
図１８は、本発明の第６実施形態の端末管理システムの機能ブロックを示した図である。図１８において、図３に示したものと同一構成のものには同一符号を付してある。以下、第６実施形態の端末管理システムにおいて、上述した第１実施形態から第５実施形態の端末管理システムと異なる点を中心に説明する。
【００６７】
第６実施形態の端末管理システムでは、端末２０の代わりに端末２０Ｅが用いられる。端末側通信部２０１の代わりに端末側通信部２０１Ｅが用いられる。端末側記憶部２０２の代わりに端末側記憶部２０２Ｅが用いられる。判定部２０３の代わりに判定部２０３Ｅが用いられる。端末側計算部２０４の代わりに端末側計算部２０４Ｅが用いられる。表示部２０５の代わりに表示部２０５Ｅが用いられる。また、管理装置１０の代わりに管理装置１０Ｅが用いられる。管理装置側計算部１０１の代わりに管理装置側計算部１０１Ｅが用いられる。管理装置側通信部１０３の代わりに管理装置側通信部１０３Ｅが用いられる。
【００６８】
判定部２０３Ｅは、表示部２０５Ｅに表示される通信量を更新する画面更新タイミングにて、管理装置１０Ｅから端末２０Ｅの通信量を受信する受信タイミングから、画面更新タイミングまでの時間が、受信タイミングから所定時間を経た「第７の間隔」を過ぎているか否かを判定する。第６実施形態においては、端末２０Ｅの通信量の受信タイミングから所定時間を経た時間間隔を「第７の間隔」としている。「第７の間隔」は、第２実施形態における「第３の間隔」と同程度の時間に相当するが、これに限定されない。
【００６９】
［本発明の第６実施形態における動作手順について］
本発明の第６実施形態における動作手順について図１９及び図２０を参照して説明する。なお、上述した各実施形態と同様の手順についての説明は省略する。まず、管理装置１０Ｅにおいて管理装置側計算部１０１Ｅにより「第１の間隔」毎に端末２０Ｅの通信量が計算されると、管理装置側通信部１０３Ｅによりその通信量を端末２０Ｅに定期的に送信する（ステップＳ９１）。
【００７０】
端末側通信部２０１Ｅにより管理装置側通信部１０３Ｅから送信された通信量を受信し、端末側記憶部２０２Ｅがその通信量を管理通信量として記憶すると、表示部２０５Ｅは記憶された管理通信量を表示する（ステップＳ９２、このタイミングを以下「タイミング９」という。）。その際、端末側記憶部２０２Ｅは、現時点の端末通信量をＯＳに問合せ、基準端末通信量として記憶する（ステップＳ９３）。
【００７１】
その後、端末２０Ｅにおいて、不定期要求がなされたとき（ステップＳ９４、このタイミングを以下「タイミング１０」という。）、判定部２０３Ｅは、タイミング９からタイミング１０までの時間間隔が「第７の間隔」を過ぎているかいないか判定する。判定部２０３Ｅによりタイミング９からタイミング１０までの時間間隔が「第７の間隔」を過ぎていないと判定された場合（ステップＳ９５）、表示部２０５Ｅは管理装置１０Ｅから受信した通信量をそのまま表示する（ステップＳ９６）（ここまでの手順は図１９を参照）。
【００７２】
（ここからの手順は図２０を参照）他方、判定部２０３Ｅによりタイミング９からタイミング１０までの時間間隔が「第７の間隔」を過ぎていると判定された場合（ステップＳ１０１）、端末側計算部２０４Ｅは、現時点の端末通信量をＯＳに問合せ、端末側記憶部２０２に記憶された基準端末通信量と現時点の端末通信量との差分を計算し（ステップＳ１０２）、端末側記憶部２０２Ｅに記憶された管理通信量に差分を加算し、表示部２０５Ｅは差分が加算された推定通信量を表示する（ステップＳ１０３）。なお、その後、管理装置１０Ｅにおいて端末の通信量が計算されるタイミング３が来た場合、タイミング３以降の動作手順は、タイミング２以降の動作手順にて、タイミング２をタイミング３に置き換えたものと同様である。以上、第６実施形態によれば、管理装置１０Ｅが端末２０Ｅの通信量を計算し、記憶する毎に、この計算し、記憶された通信量を端末２０Ｅに送信し、端末２０Ｅ側では、受信した通信量を記憶するとともに、基準端末通信量を記憶し、このタイミングから所定時間（第７の間隔）を経過していないときに不定期要求があった場合は、それほど時間も経過していないため、受信した通信量をそのまま表示し、上記タイミングから所定時間を経過しているときに不定期要求があった場合は、端末２０Ｅにおいて計算した差分を、受信した通信量に加算した推定通信量を表示するため、表示される推定通信量はより実際の通信量に近いものとなり、ユーザが通信量を確認したい時に、より正確な通信量を表示することができる。
【００７３】
なお、上述する各実施の形態は、本発明の好適な実施の形態であり、本発明の要旨を逸脱しない範囲内において種々変更実施が可能である。例えば、上述した本実施形態における各処理を、ハードウェア、又は、ソフトウェア、あるいは、両者の複合構成を用いて実行することも可能である。また、各々の実施形態の全部または一部を他の実施形態に組み合わせても構わない。
【００７４】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【符号の説明】
【００７５】
１    端末管理システム
５    通信回線網
１０、１０Ｂ、１０Ｃ、１０Ｄ、１０Ｅ    管理装置
１１、２１    プロセッサ
１２、２２    メモリ
１３、２３    ディスプレイ
１４    補助記憶ユニット
１５    通信インタフェース
１６、２７    入力ユニット
２０、２０ａ、２０ｂ、２０ｃ、２０Ａ、２０Ｂ、２０Ｃ、２０Ｄ、２０Ｅ    端末
２４    アンテナ
２５    無線ユニット
２６    通信制御ユニット
３０    ネットワーク
１０１、１０１Ｃ、１０１Ｅ    管理装置側計算部
１０２    管理装置側記憶部
１０３、１０３Ｂ、１０３Ｃ、１０３Ｄ、１０３Ｅ    管理装置側通信部
１０４    管理装置側判定部
２０１、２０１Ｂ、２０１Ｃ、２０１Ｄ、２０１Ｅ    端末側通信部
２０２、２０２Ｂ、２０２Ｄ、２０２Ｅ    端末側記憶部
２０３、２０３Ａ、２０３Ｂ、２０３Ｄ、２０３Ｅ    判定部
２０４、２０４Ｂ、２０４Ｃ、２０４Ｄ、２０４Ｅ    端末側計算部
２０５、２０５Ａ、２０５Ｂ、２０５Ｃ、２０５Ｄ、２０５Ｅ    表示部
２０６    入力部
【図１】
0006396947.tif 000002
【図２Ａ】
0006396947.tif 000003
【図２Ｂ】
0006396947.tif 000004
【図３】
0006396947.tif 000005
【図４】
0006396947.tif 000006
【図５】
0006396947.tif 000007
【図６】
0006396947.tif 000008
【図７】
0006396947.tif 000009
【図８】
0006396947.tif 000010
【図９】
0006396947.tif 000011
【図１０】
0006396947.tif 000012
【図１１】
0006396947.tif 000013
【図１２】
0006396947.tif 000014
【図１３】
0006396947.tif 000015
【図１４】
0006396947.tif 000016
【図１５】
0006396947.tif 000017
【図１６】
0006396947.tif 000018
【図１７】
0006396947.tif 000019
【図１８】
0006396947.tif 000020
【図１９】
0006396947.tif 000021
【図２０】
0006396947.tif 000022